(57)【特許請求の範囲】
【請求項１】
検体を収容した検体容器に付され、当該検体を識別するための検体識別情報を保持する識別子から、検体識別情報を読み取る第１読取動作を実行する第１識別情報読取部と、
前記第１読取動作を実行した結果、検体識別情報の読取不良が生じた読取不良検体を収容した読取不良検体容器を搬送する検体搬送部と、
前記検体搬送部によって搬送された読取不良検体容器の識別子から、検体識別情報を読み取る第２読取動作を実行する第２識別情報読取部と、
検体を処理する検体処理部と、
前記第２読取動作を実行した結果、検体識別情報の読取不良が生じたか否かを判断し、その判断結果に応じた処理を、前記読取不良検体に対して実行するように前記検体処理部を制御する制御部と、
を備え、
前記制御部は、前記第２読取動作を実行した結果、検体識別情報の読取不良が生じなかった場合には、前記読取不良検体に対して、前記第２読取動作によって読み取られた検体識別情報に応じて定められる処理を実行するように前記検体処理部を制御する、
検体処理システム。
【請求項２】
前記制御部は、前記第２読取動作を実行した結果、検体識別情報の読取不良が生じた場合には、前記読取不良検体に対して予め定められた処理を実行するように前記検体処理部を制御する、
請求項１に記載の検体処理システム。
【請求項３】
前記検体搬送部は、前記第１読取動作を実行した結果、検体識別情報の読取不良が生じなかった読取成功検体を収容した読取成功検体容器をさらに搬送し、
前記第２識別情報読取部は、前記検体搬送部によって搬送された前記読取成功検体容器の識別子から検体識別情報を読み取る第３読取動作を実行し、
前記制御部は、前記第３読取動作を実行した結果、検体識別情報の読取不良が生じたか否かを判断し、その判断結果に応じた処理を、前記読取成功検体に対して実行するように前記検体処理部を制御する、
請求項１又は２に記載の検体処理システム。
【請求項４】
前記制御部は、前記第３読取動作が実行された結果、検体識別情報の読取不良が生じた場合には、前記読取成功検体に対して予め定められた処理を実行するように前記検体処理部を制御する、
請求項３に記載の検体処理システム。
【請求項５】
前記制御部は、前記第３読取動作が実行された結果、検体識別情報の読取不良が生じなかったと判断し、かつ、前記第１読取動作によって読み取られた検体識別情報と、前記第３読取動作によって読み取られた検体識別情報とが異なる場合には、前記第３読取動作によって読み取られた検体識別情報に応じて定められる処理を前記読取成功検体に対して実行するように前記検体処理部を制御する、
請求項３又は４に記載の検体処理システム。
【請求項６】
前記制御部は、前記第１読取動作によって読み取られた検体識別情報に基づいて、前記読取成功検体の処理項目を示す処理オーダ情報を要求し、
前記第２識別情報取得部は、前記制御部が前記処理オーダを要求した後に、前記第３読取動作を実行する、
請求項３乃至５の何れかに記載の検体処理システム。
【請求項７】
前記制御部は、前記予め定められた処理として、予め定められた測定項目について検体の測定を実行するように前記検体処理部を制御する、
請求項２又は４に記載の検体処理システム。
【請求項８】
表示部をさらに備え、
前記制御部は、前記予め定められた測定項目について検体の測定が実行されたことを示す情報を前記表示部に表示させる、
請求項７に記載の検体処理システム。
【請求項９】
前記検体搬送部によって搬送された検体容器を回収する回収部をさらに備え、
前記制御部は、第１モード及び第２モードのいずれかを設定することが可能であり、前記第１モードは、前記第２読取動作又は前記第３読取動作が実行された結果、検体識別情報の読取不良が生じた場合に、前記検体処理部が前記予め定められた処理を検体に対して実行するモードであり、前記第２モードは、前記第２読取動作又は前記第３読取動作が実行された結果、検体識別情報の読取不良が生じた場合に、前記検体処理部が検体を処理せず、検体を収容した検体容器を前記検体搬送部が前記回収部に搬送するモードである、
請求項２又は４に記載の検体処理システム。
【請求項１０】
表示部をさらに備え、
前記制御部は、前記第１モード及び前記第２モードの何れかの設定を受け付けるための設定画面を前記表示部に表示させ、前記設定画面を介して、前記第１モード及び前記第２モードの何れかの設定を受け付け可能である、
請求項９に記載の検体処理システム。
【請求項１１】
前記検体処理部及び前記第２識別情報読取部を収容する筐体と、
前記検体搬送部によって搬送された検体容器を前記筐体の内部に取り込む容器取込部と、をさらに備え、
前記第２識別情報読取部は、前記容器取込部により前記筐体の内部に取り込まれた検体容器に付された識別子から検体識別情報を読み取る読取動作を実行するように構成されている、
請求項１乃至１０の何れかに記載の検体処理システム。
【請求項１２】
前記検体処理部の動作状況に基づいて前記読取不良検体容器の搬送先を決定し、前記搬送先への搬送指示を前記検体搬送部に与えるシステム制御装置をさらに備える、
請求項１乃至１１の何れかに記載の検体処理システム。
【発明の詳細な説明】
【技術分野】
【０００１】
本発明は、検体の測定、塗抹標本の作製等の処理を行う検体処理システムに関する。
【背景技術】
【０００２】
検体を収容する検体容器に貼布されたバーコードからバーコードリーダによって検体識別情報を読み出し、検体識別情報を読み出した検体を、多項目血球分析装置又は血液塗抹標本作製装置等の検体処理装置に搬送し、その検体識別情報に応じた処理を検体処理装置によって行う検体処理システムが知られている（例えば、特許文献１参照）。
【０００３】
特許文献１には、検体の前処理を行う複数台の前処理モジュールと、検体容器を保持した検体ラックを供給するラック供給モジュールと、ラック供給モジュールから受け取った検体ラックを前処理モジュールに搬送する搬送ラインとを備えた検体処理システムが開示されている。前記ラック供給モジュールは、検体ラックを待機させておくラック供給エリアと、ラック供給エリアから供給された検体容器に貼布されたバーコードから検体の識別情報を読み取るバーコード読取装置と、検体ラックを回収するラック回収エリアとを備えている。この検体処理システムにおいては、バーコード読取装置により読み取られた検体識別情報に応じて検体ラックをどの前処理モジュールに立ち寄らせるかが決定され、立ち寄り先として決定された前処理モジュールに検体ラックが搬送される。一方、バーコード読取装置によるバーコードの読み取り不良が生じた検体容器を保持する検体ラックは、搬送ラインに供給されずにラック回収エリアに回収される。
【先行技術文献】
【特許文献】
【０００４】
【特許文献１】特開平１１−３０４８１２号公報
【発明の概要】
【発明が解決しようとする課題】
【０００５】
しかしながら、上記特許文献１に記載の検体処理システムでは、バーコードの読み取り不良が生じた検体については、搬送ラインに供給されずにラック回収エリアに回収される。このため、バーコードの読み取りを再度行わせるために、当該検体を保持する検体ラックをユーザが再度ラック供給エリアに設置する必要があり、ユーザに負担がかかっていた。
【０００６】
本発明は斯かる事情に鑑みてなされたものであり、その主たる目的は、従来に比してユーザの負担を軽減することが可能な検体処理システムを提供することにある。
【課題を解決するための手段】
【０００７】
上述した課題を解決するために、本発明の一の態様の検体処理システムは、検体を収容した検体容器に付され、当該検体を識別するための検体識別情報を保持する識別子から、検体識別情報を読み取る第１読取動作を実行する第１識別情報読取部と、前記第１読取動作を実行した結果、検体識別情報の読取不良が生じた読取不良検体を収容した読取不良検体容器を搬送する検体搬送部と、前記検体搬送部によって搬送された読取不良検体容器の識別子から、検体識別情報を読み取る第２読取動作を実行する第２識別情報読取部と、検体を処理する検体処理部と、前記第２読取動作を実行した結果、検体識別情報の読取不良が生じたか否かを判断し、その判断結果に応じた処理を、前記読取不良検体に対して実行するように前記検体処理部を制御する制御部と、を備え、前記制御部は、前記第２読取動作を実行した結果、検体識別情報の読取不良が生じなかった場合には、前記読取不良検体に対して、前記第２読取動作によって読み取られた検体識別情報に応じて定められる処理（例えば、検体識別情報に基づいて取得された測定オーダに示される測定項目の測定処理）を実行するように前記検体処理部を制御する。
【０００９】
また、上記態様においては、前記制御部が、前記第２読取動作を実行した結果、検体識別情報の読取不良が生じた場合には、前記読取不良検体に対して予め定められた処理（例えば、予め設定された測定項目の測定処理）を実行するように前記検体処理部を制御することが好ましい。
【００１０】
また、上記態様においては、前記検体搬送部が、前記第１読取動作を実行した結果、検体識別情報の読取不良が生じなかった読取成功検体を収容した読取成功検体容器をさらに搬送し、前記第２識別情報読取部が、前記検体搬送部によって搬送された前記読取成功検体容器の識別子から検体識別情報を読み取る第３読取動作を実行し、前記制御部が、前記第３読取動作を実行した結果、検体識別情報の読取不良が生じたか否かを判断し、その判断結果に応じた処理を、前記読取成功検体に対して実行するように前記検体処理部を制御することが好ましい。
【００１１】
また、上記態様においては、前記制御部が、前記第３読取動作が実行された結果、検体識別情報の読取不良が生じた場合には、前記読取成功検体に対して予め定められた処理を実行するように前記検体処理部を制御することが好ましい。
【００１２】
また、上記態様においては、前記制御部が、前記第３読取動作が実行された結果、検体識別情報の読取不良が生じなかったと判断し、かつ、前記第１読取動作によって読み取られた検体識別情報と、前記第３読取動作によって読み取られた検体識別情報とが異なる場合には、前記第３読取動作によって読み取られた検体識別情報に応じて定められる処理を前記読取成功検体に対して実行するように前記検体処理部を制御することが好ましい。
【００１３】
また、上記態様においては、前記制御部が、前記第１読取動作によって読み取られた検体識別情報に基づいて、前記読取成功検体の処理項目を示す処理オーダ情報を要求し、前記第２識別情報取得部は、前記制御部が前記処理オーダを要求した後に、前記第３読取動作を実行することが好ましい。
【００１４】
また、上記態様においては、前記制御部が、前記予め定められた処理として、予め定められた測定項目について検体の測定を実行するように前記検体処理部を制御することが好ましい。
【００１５】
また、上記態様においては、前記検体処理システムが表示部をさらに備え、前記制御部が、前記予め定められた測定項目について検体の測定が実行されたことを示す情報を前記表示部に表示させることが好ましい。
【００１６】
また、上記態様においては、前記検体処理システムが、前記検体搬送部によって搬送された検体容器を回収する回収部をさらに備え、前記制御部が、第１モード及び第２モードのいずれかを設定することが可能であり、前記第１モードは、前記第２読取動作又は前記第３読取動作が実行された結果、検体識別情報の読取不良が生じた場合に、前記検体処理部が前記予め定められた処理を検体に対して実行するモードであり、前記第２モードは、前記第２読取動作又は前記第３読取動作が実行された結果、検体識別情報の読取不良が生じた場合に、前記検体処理部が検体を処理せず、検体を収容した検体容器を前記検体搬送部が前記回収部に搬送するモードであることが好ましい。
【００１７】
また、上記態様においては、前記検体処理システムが表示部をさらに備え、前記制御部が、前記第１モード及び前記第２モードのいずれかの設定を受け付けるための設定画面を前記表示部に表示させ、前記設定画面を介して、前記第１モード及び前記第２モードのいずれかの設定を受け付け可能であることが好ましい。
【００１８】
また、上記態様においては、前記検体処理システムが、前記検体処理部及び前記第２識別情報読取部を収容する筐体と、前記検体搬送部によって搬送された検体容器を前記筐体の内部に取り込む容器取込部と、をさらに備え、前記第２識別情報読取部は、前記容器取込部により前記筐体の内部に取り込まれた検体容器に付された識別子から検体識別情報を読み取る読取動作を実行するように構成されていることが好ましい。
また、上記態様においては、前記検体処理システムが、前記検体処理部の動作状況に基づいて前記読取不良検体容器の搬送先を決定し、前記搬送先への搬送指示を前記検体搬送部に与えるシステム制御装置をさらに備えることが好ましい。
【発明の効果】
【００１９】
本発明に係る検体処理システムによれば、従来に比してユーザの負担を軽減することが可能である。
【図面の簡単な説明】
【００２０】
【図１】実施の形態に係る検体処理システムの全体構成を示す概略平面図。
【図２】実施の形態に係る検体載置回収部の構成を示す平面図。
【図３】検体容器の外観を示す斜視図。
【図４】検体ラックの外観を示す斜視図。
【図５】実施の形態に係る血球分析装置用の検体搬送ユニットの構成を示す平面図。
【図６】実施の形態に係る塗抹標本作製装置用の検体搬送ユニットの構成を示す平面図。
【図７】実施の形態に係る血液分析装置が備える測定ユニットの構成を示すブロック図。
【図８】実施の形態に係る血液分析装置が備える情報処理ユニットの構成を示すブロック図。
【図９】実施の形態に係る塗抹標本作製装置の概略構成を示すブロック図。
【図１０】実施の形態に係るシステム制御装置の構成を示すブロック図。
【図１１】実施の形態に係る情報処理ユニットによる動作モード設定処理の手順を示すフローチャート。
【図１２】動作モード設定画面の一例を示す模式図。
【図１３】ラックオーダの構成を示す模式図。
【図１４Ａ】実施の形態に係る情報処理ユニットによる検体測定動作の手順を示すフローチャート（前半）。
【図１４Ｂ】実施の形態に係る情報処理ユニットによる検体測定動作の手順を示すフローチャート（後半）。
【図１５】デフォルト測定モードにより検体を分析したときの分析結果画面の一例を示す模式図。
【図１６】情報処理ユニットによる検体測定動作の手順の変形例を示すフローチャート。
【発明を実施するための形態】
【００２１】
以下、本発明の好ましい実施の形態を、図面を参照しながら説明する。
【００２２】
［検体処理システムの構成］
図１は、本実施の形態に係る検体処理システムの全体構成を示す概略平面図である。図１に示すように、検体処理システム１は、検体搬送装置３（検体搬送部）と、血球分析装置５と、塗抹標本作製装置６と、システム制御装置８とを備えている。また、本実施の形態に係る検体処理システム１は、通信ネットワークを介して検査情報管理装置９と通信可能に接続されている。
【００２３】
図３は、検体容器の外観を示す斜視図であり、図４は、検体ラックの外観を示す斜視図である。図３に示すように、検体容器Ｔは、管状をなしており、上端が開口している。内部には患者から採取された血液検体が収容され、上端の開口は蓋部ＣＰにより密封されている。検体容器Ｔは、透光性を有するガラス又は合成樹脂により構成されており、内部の血液検体が視認可能となっている。また、検体容器Ｔの側面には、検体バーコードラベルＢＬが貼付されている。この検体バーコードラベルＢＬには、検体ＩＤを示す検体バーコード（識別子）が印刷されている。検体ラックＬは、１０本の検体容器Ｔを並べて保持することが可能である。検体ラックＬでは、各検体容器Ｔが垂直状態（立位状態）で保持される。また、検体ラックＬの正面には、ラックバーコードラベル（図示せず）が貼付されている。このラックバーコードラベルには、ラックＩＤを示すラックバーコードが印刷されている。
【００２４】
以下、検体処理システム１の構成について詳細に説明する。
【００２５】
＜検体搬送装置３の構成＞
図１に示すように、検体搬送装置３は、検体載置回収部３Ａと検体搬送部３Ｂとから構成されている。
[検体載置回収部３Ａの構成]
図２は、本実施の形態に係る検体載置回収部の構成を示す平面図である。検体載置回収部３Ａは、検体載置ユニット２１と、ラック中継ユニット２２と、検体回収ユニット（回収部）２３とを備えている。当該検体載置回収部３Ａは、複数の検体容器が収納された検体ラックを載置することができる。
【００２６】
図２に示すように、検体載置ユニット２１は、検体容器Ｔが収容された検体ラックＬを載置するための凹状のラック載置部２１１を有している。このラック載置部２１１は、長方形状をなしており、複数の検体ラックＬを同時に載置することが可能である。なお、検体ラックＬは、横方向に検体容器Ｔが並ぶように前記ラック載置部２１１に載置される。ラック載置部２１１には、検体ラックＬを検出するためのセンサ２１２、２１３と、検体ラックＬを移送するための係合部２１１ａとが設けられている。センサ２１２及び２１３は、光学式センサであり、センサ２１２は発光部２１２ａと受光部２１２ｂとを、センサ２１３は発光部２１３ａと受光部２１３ｂとをそれぞれ備えている。発光部２１２ａ，２１３ａと受光部２１２ｂ，２１３ｂとはラック載置部２１１を挟んで配置されており、ラック載置部２１１に載置された検体ラックＬによって、発光部２１２ａ又は２１３ａから発せられた光が遮られ、受光部２１２ｂ又は２１３ｂの受光レベルが下がることにより、当該検体ラックＬがラックセンサ２１２又は２１３により検出される。ラックセンサ２１２，２１３で検出された検体ラックＬは、係合部２１１ａに係合され、係合部２１１ａが検体ラックＬに係合した状態で前後方向へ移動することで、ラック載置部２１１上で検体ラックＬが移送されるようになっている。
【００２７】
ラック載置部２１１の最も奥側（後方）の位置は、左側へ検体ラックＬを送出するためのラック送出位置２１４とされている。かかるラック送出位置２１４には、左右方向へ移動可能な突出部２１５が設けられている。この突出部２１５は、ラック送出位置２１４に検体ラックＬが移送されるまでは、ラック送出位置２１４の右端近傍の位置に待機しており、ラック送出位置２１４に検体ラックＬが到達すると、左方向へ移動する。かかる突出部２１５に押されて、検体ラックＬは左方向へ移送される。またこのラック送出位置２１４の左右両側の壁は欠落している。したがって、突出部２１５に押された検体ラックＬは、検体載置ユニット２１から送出されることとなる。図２に示すように、検体載置ユニット２１の左側にはラック中継ユニット２２が設けられており、ラック中継ユニット２２の右側の壁の一部が欠落していて、これにより、ラック送出位置２１４から送出された検体ラックＬはラック中継ユニット２２に導入される。
【００２８】
また、ラック載置部２１１の前方には、２つの平行なベルトコンベヤである第１搬送ライン２１６及び第２搬送ライン２１７が設けられている。検体載置ユニット２１のラック載置部２１１を取り囲む壁の第１搬送ライン２１６及び第２搬送ライン２１７の左右両側の部分のそれぞれは欠落しており、検体ラックＬを第１搬送ライン２１６及び第２搬送ライン２１７に搬入し、また第１搬送ライン２１６及び第２搬送ライン２１７から他のユニットへ検体ラックＬを搬出することが可能である。また、検体載置ユニット２１には、第１搬送ライン２１６又は第２搬送ライン２１７に搬入された検体ラックＬを後方へ移送するためのラック移送部２１８が設けられている。かかるラック移送部２１８は、横長の棒状をなしており、第２搬送ライン２１７からラック載置部２１１の前後方向の中間位置までの範囲内で前後方向に移動可能となっている。第１搬送ライン２１６又は第２搬送ライン２１７に搬入された検体ラックＬの前側に配置されたラック移送部２１８が後方へ移動することにより、ラック移送部２１８が検体ラックＬの前面に当接し、さらにラック移送部２１８が後方へ移動することにより、検体ラックＬが後方へ押動される。これによって係合部２１１ａを越える位置まで検体ラックＬが後方へ移送され、その後係合部２１１ａにより検体ラックＬがラック送出位置２１４まで移送される。このように、検体載置ユニット２１は、第１搬送ライン２１６又は第２搬送ライン２１７により搬入された検体ラックＬをそのまま右側の検体回収ユニット２３へ送出することも可能であるし、第１搬送ライン２１６又は第２搬送ライン２１７にある検体ラックＬをラック送出位置２１４まで移送した後、左側のラック中継ユニット２２に送出することも可能である。
【００２９】
かかる構成の検体載置ユニット２１は、ＣＰＵ及びメモリ等からなる制御部２１ａを備えている。この制御部２１ａにより、上述した検体載置ユニット２１の機構が制御される。また、検体載置ユニット２１は、Ethernet（登録商標）インタフェースを備えており、ＬＡＮを介してシステム制御装置８に通信可能に接続されている。
【００３０】
検体載置ユニット２１の左側には、ラック中継ユニット２２が接続されている。ラック送出位置２１４から左側に送出された検体ラックＬは、ラック中継ユニット２２に搬入される。かかるラック中継ユニット２２は、複数の検体ラックＬを収容可能な平面視四角形状のラック載置部２２１を備えている。またラック中継ユニット２２は、ラック載置部２２１の奥側にバーコード読取部２２ｂを備えている。かかるバーコード読取部２２ｂは、検体ラックＬに収容されている複数の検体容器Ｔの検体バーコードから検体ＩＤを同時に読み出すことが可能であり、しかも検体ラックＬのラックバーコードからラックＩＤを読み出すことも可能である。かかるバーコード読取部２２ｂには、検体容器Ｔ検出用の光学センサが設けられており（図示せず）、検体ラックＬがバーコード読取部２２ｂによるバーコード読取位置に到達したときに、当該光学センサによって検体容器Ｔの有無が検出される。また、バーコード読取部２２ｂは、ラック載置部２２１における最も奥側のバーコード読出位置の直上に、複数の検体容器Ｔを同時に水平回転させる水平回転機構（図示せず）を備えている。ラック載置ユニット２１のラック送出位置２１４から送出された検体ラックＬは、ラック中継ユニット２２に左方向へ搬入され、バーコード読出位置に到達する。その後、検体ラックＬに収容される検体容器Ｔが水平回転機構により水平回転されながら、バーコード読取部２２ｂによってバーコードラベルＢＬから検体ＩＤが読み出され、検体ラックＬのラックバーコードラベルからラックＩＤが読み出される。
【００３１】
検体ラックＬがバーコード読取位置に到達したとき、上述した光学センサによって検体容器Ｔの有無が検出され、バーコード読取部２２ｂにより各検体容器Ｔの検体バーコードが複数回連続して読み取られる。複数回読み出された各検体ＩＤのデータが一致している場合に、検体ＩＤの読み取りが成功したとされ、検体ＩＤ及び読み取られたラックＩＤがシステム制御装置８へ送信される。光学センサによって検体容器Ｔが検出されているときにおいて、所定の時間内に検体ＩＤを１度も読み出せなかった場合、所定の時間内に検体ＩＤを複数回読み出せたが、読み出した複数のデータが一致しなかった場合、又は所定の時間内に検体ＩＤを１回しか読み出せなかった場合には、検体ＩＤの読み取り不良とされる。かかる検体バーコードの読取不良が発生した場合には、ラック中継ユニット２２の制御部２２ａが、この検体の保持位置番号に対応付けられた検体バーコード読取エラー情報を作成し、システム制御装置８へ送信する。
【００３２】
ラック載置部２２１の左右の壁のそれぞれからは係合部２２１ａが突出している。かかる係合部２２１ａは、バーコード読取部２２ｂにより検体ＩＤ及びラックＩＤが読み取られた検体ラックＬに係合し、前方へ移動する。これによって検体ラックＬがラック載置部２２１上を前方へ移動することとなる。ラック載置部２２１の最も前側の位置は、ラック送出位置２２２とされている。このラック送出位置２２２の前側には、ベルトコンベヤにより構成された搬送ライン２２３が設けられており、搬送ライン２２３とラック送出位置２２２との間には壁状の仕切り部２２４が突設されている。仕切り部２２４には左右方向へ移動可能な突出部２２５が設けられている。この突出部２２５は、ラック送出位置２２２に検体ラックＬが移送されるまでは、ラック送出位置２２２の右端近傍の位置に待機しており、ラック送出位置２２２に検体ラックＬが到達した後に、左方向へ移動する。かかる突出部２２５に押されて、検体ラックＬは左方向へ移送される。またこのラック送出位置２２２の左右両側の壁は欠落している。したがって、突出部２２５に押された検体ラックＬは、ラック中継ユニット２２から送出されることとなる。図１に示すように、ラック中継ユニット２２の左側には検体搬送部３Ｂが接続されており、ラック送出位置２２２は、後述する検体搬送装置３の追い越しライン３２１と直線的に連なっている。これにより、ラック送出位置２２２から送出された検体ラックＬは検体搬送装置３の追い越しライン３２１に導入される。
【００３３】
また、ラック送出位置２２２の近傍には、ラックＩＤ読み取り用のバーコードリーダ２２２ａが設けられている。ラック送出位置２２２に搬送された検体ラックＬのラックＩＤがこのバーコードリーダ２２２ａによって読み取られ、読み取られたラックＩＤはシステム制御装置８へ送信される。システム制御装置８は、後述するように、このラックＩＤを受信し、これによって当該検体ラックＬの搬送先を決定する。
【００３４】
また、搬送ライン２２３の左右両側の壁も欠落しており、搬送ライン２２３は、後述する検体搬送装置３の帰還ライン３３１及び前述した検体載置ユニット２１の第２搬送ライン２１７と直線的に連なっている。これにより、搬送ライン２２３は検体搬送装置３の帰還ライン３３１から検体ラックＬを受け入れ、この検体ラックＬを検体載置ユニット２１の第２搬送ライン２１７へ搬出する。
【００３５】
かかる構成のラック中継ユニット２２は、ＣＰＵ及びメモリ等からなる制御部２２ａを備えている。この制御部２２ａにより、上述したラック中継ユニット２２の機構が制御される。また、ラック中継ユニット２２は、Ethernet（登録商標）インタフェースを備えており、ＬＡＮを介して情報処理ユニット５４及びシステム制御装置８にそれぞれ通信可能に接続されている。
【００３６】
検体載置ユニット２１の右側には、検体回収ユニット２３が配置されている。検体回収ユニット２３は、ラック載置ユニット２１と同様の構成とされている。つまり、検体回収ユニット２３は、検体ラックＬを載置するための凹状のラック載置部２３１、ラック載置部２３１に載置された検体ラックＬを後方へ移送するための係合部２３１ａ、検体ラックＬを検出するためのセンサ２３２，２３３、ラック載置部２３１の前側に設けられ、検体ラックＬを横方向へ搬送するための第１搬送ライン２３６及び第２搬送ライン２３７、並びに第１搬送ライン２３６又は第２搬送ライン２３７に搬入された検体ラックＬをラック載置部２３１へ移送するためのラック移送部２３８を備えている。
【００３７】
このような検体回収ユニット２３は、ＣＰＵ及びメモリ等からなる制御部２３ａを備えている。制御部２３ａにより、上述した検体回収ユニット２３の機構が制御される。
【００３８】
＜検体搬送部３Ｂの構成＞
次に、検体搬送部３Ｂの構成について説明する。図１に示すように、検体搬送部３Ｂは、４つの検体搬送ユニット３ａ，３ｂ，３ｃ，４を備えている。血球分析装置５の３つの測定ユニット５１，５２，５３の前方には、各別に検体搬送ユニット３ａ，３ｂ，３ｃが配置され、塗抹標本作製装置６の前方には検体搬送ユニット４が配置されている。隣り合う検体搬送ユニット３ａ及び３ｂ，３ｂ及び３ｃ，３ｃ及び４は接続されており、検体ラックＬを受渡しすることが可能である。また、最も右側の検体搬送ユニット３ａは、上述した検体載置回収部３Ａに接続されており、検体載置回収部３Ａから搬出された検体ラックＬを導入し、また検体載置回収部３Ａへ検体ラックＬを送出することが可能となっている。
【００３９】
図５は、検体搬送ユニット３ａの構成を示す平面図である。ここでは、測定ユニット５１の前側に配置されている検体搬送ユニット３ａについて説明するが、測定ユニット５２，５３の前側に配置されている検体搬送ユニット３ｂ，３ｃも同様の構成となっている。図５に示すように、検体搬送ユニット３ａは、検体を搬送する搬送機構３１と、搬送機構３１を制御する制御部３２とを備えている。搬送機構３１は、分析が行われる前の検体を収容する検体容器Ｔを保持する検体ラックＬを一時的に保持することが可能な分析前ラック保持部３３と、対応する測定ユニット５１によって検体が吸引された検体容器Ｔを保持する検体ラックＬを一時的に保持することが可能な分析後ラック保持部３４と、検体を測定ユニット５１に供給するために、検体ラックＬを図中矢印Ｘ方向へ水平に直線移動させ、分析前ラック保持部３３から受け付けた検体ラックＬを分析後ラック保持部３４へ搬送するベルトコンベヤからなる測定ライン３５と、搬送上流側の装置（検体載置回収部３Ａ）から検体ラックＬを搬入し、この検体ラックＬに収容された検体を測定ユニット５１に供給せずに、搬送下流側の装置（検体搬送ユニット３ｂ）へと検体ラックＬを搬出するベルトコンベヤからなる追い越しライン３２１と、搬送下流側の装置（検体搬送ユニット３ｂ）から検体ラックＬを搬入し、この検体ラックＬに収容された検体を測定ユニット５１に供給せずに、搬送上流側の装置（検体載置回収部３Ａ）へと検体ラックＬを搬出するベルトコンベヤからなる帰還ライン３３１とを備えている。
【００４０】
制御部３２は、ＣＰＵ、ＲＯＭ、及びＲＡＭ等（図示せず）から構成されており、ＲＯＭに格納された搬送機構３１の制御プログラムをＣＰＵで実行することが可能である。また、かかる制御部３２は、Ethernet（登録商標）インタフェースを備えており、ＬＡＮを介して情報処理ユニット５４及びシステム制御装置８にそれぞれ通信可能に接続されている。
【００４１】
検体搬送ユニット３ａは、検体載置回収部３Ａから搬送された検体ラックＬを、追い越しライン３２１に沿って分析前ラック送出位置３２３へ搬送し、ラック送出部３２２により分析前ラック保持部３３へ移送し、この検体ラックＬをラック送り込み部３３ｂによって分析前ラック保持部３３から測定ライン３５へと送出し、さらに測定ライン３５に沿って検体ラックＬを搬送することにより、検体を血球分析装置５の対応する測定ユニット５１（５２，５３）へと供給することができる。また、吸引が完了した検体を収容する検体ラックＬは、測定ライン３５により、分析後ラック送出位置３９１へと移送され、ラック送出部３９により分析後ラック保持部３４へ送出される。分析後ラック保持部３４に保持された検体ラックＬは、この検体ラックＬに保持されている検体が搬送方向下流側の測定ユニット５２若しくは５３により測定され、又は塗抹標本作製装置６によって塗抹標本の作製に供される必要がある場合には、追い越しライン３２１へと移送され、追い越しライン３２１に沿って後段の装置（検体搬送ユニット３ｂ）へ搬出される。また、分析後ラック保持部３４に保持された検体ラックＬに保持されている検体の全てについて、搬送方向下流側の測定ユニット５２，５３による測定及び塗抹標本作製装置６による塗抹標本の作製の必要がない場合には、当該検体ラックＬは帰還ライン３３１へと移送され、帰還ライン３３１に沿って前段（搬送方向上流側）の装置（検体載置回収部３Ａ）へ搬出される。また、搬送下流側の測定ユニット５２，５３又は塗抹標本作製装置６にて処理する検体を収容する検体ラックＬを前段の装置から検体搬送ユニット３ａが受け入れた場合は、追い越しライン３２１に沿ってこの検体ラックＬが矢印Ｘ１方向へと搬送され、後段の検体搬送ユニット３ｂへそのまま搬出される。検体載置回収部３Ａによって回収される検体ラックＬを後段の装置から検体搬送ユニット３ａが受け入れた場合は、帰還ライン３３１に沿ってこの検体ラックＬが矢印Ｘ２方向へと搬送され、前段の検体載置回収部３Ａへそのまま搬出される。
【００４２】
なお、搬送機構３１のうち、ラック送込部３３ｂ、測定ライン３５及びラック送出部３９は、血球分析装置５の情報処理ユニット５４により制御される。搬送機構３１のその他の部分は、制御部３２により制御される。
【００４３】
図１に示すように、塗抹標本作製装置６の前側には、検体搬送ユニット４が配置されている。この検体搬送ユニット４は、その右側端が、３つの検体搬送ユニット３ａ，３ｂ，３ｃの内、最も搬送下流側（図中左側）に位置する検体搬送ユニット３ｃと接続されている。
【００４４】
図６は、検体搬送ユニット４の構成を示す平面図である。検体搬送ユニット４は、検体を搬送する搬送機構４１と、搬送機構４１を制御する制御部４２と、搬送機構４１によって搬送された検体容器Ｔの検体バーコードから検体ＩＤを読み出すバーコード読取部４１６とを備えている。搬送機構４１は、塗抹標本の作製が行われる前の検体を収容する検体容器Ｔを保持する検体ラックＬを一時的に保持することが可能な処理前ラック保持部４３と、塗抹標本作製装置６によって検体が吸引された検体容器Ｔを保持する検体ラックＬを一時的に保持することが可能な処理後ラック保持部４４と、検体を塗抹標本作製装置６に供給するために、検体ラックＬをＸ１方向へ水平に直線移動させ、処理前ラック保持部４３から受け付けた検体ラックＬを処理後ラック保持部４４へ搬送するベルトコンベヤからなる処理ライン４５と、搬送上流側の検体搬送ユニット３ｃから検体ラックＬを搬入し、当該検体ラックＬをＸ１方向へ搬送するベルトコンベヤからなる追い越しライン４２１と、検体の塗抹標本の作製が完了した検体ラックＬを検体載置回収部３Ａに回収させるために、搬送上流側の検体搬送ユニット３ｃへと当該検体ラックＬを搬出するベルトコンベヤからなるラック帰還搬送部４３１とを備えている。なお、検体搬送ユニット４は、構成部品の大きさ、形状及び位置が検体搬送ユニット３ａと異なっているが、機能は同様であるので、その構成についての説明を省略する。
【００４５】
検体搬送ユニット４は、上流側の検体搬送ユニット３ｃから搬出された検体ラックＬを、追い越しライン４２１により導入し、ラック送出部４６により処理前ラック保持部４３へ移送し、この検体ラックＬを処理前ラック保持部４３から処理ライン４５へと送出し、さらに処理ライン４５に沿って搬送することにより、検体を塗抹標本作製装置６へと供給することができる。また、吸引が完了した検体を収容する検体ラックＬは、処理ライン４５に沿って搬送され、ラック送出部４７により処理後ラック保持部４４へ送出される。処理後ラック保持部４４に保持された検体ラックＬは、帰還ライン４３１へと移送され、帰還ライン４３１により、前段（搬送方向上流側）の検体搬送ユニット３ｃへ搬出される。
【００４６】
＜血球分析装置５の構成＞
血球分析装置５は、光学式フローサイトメトリー方式の多項目血球分析装置であり、血液検体に含まれる血球に関して側方散乱光強度、蛍光強度等を取得し、これらに基づいて検体中に含まれる血球を分類し、且つ、種類毎に血球数を計数し、このように分類された血球が種類毎に色分けされたスキャッタグラムを作成し、これを表示する。かかる血球分析装置５は、血液検体を測定する測定ユニット５１，５２，５３と、測定ユニット５１，５２，５３から出力された測定データを処理し、血液検体の分析結果を表示する情報処理ユニット５４とを備えている。
【００４７】
血球分析装置５は、図１に示すように、３つの測定ユニット５１，５２，５３（検体処理装置）と、１つの情報処理ユニット５４とを備えている。情報処理ユニット５４は、３つの測定ユニット５１，５２，５３と通信可能に接続されており、これらの３つの測定ユニット５１，５２，５３の動作をそれぞれ制御可能である。また、情報処理ユニット５４は、３つの測定ユニット５１，５２，５３の前側にそれぞれ配置された３つの検体搬送ユニット３ａ，３ｂ，３ｃとも通信可能に接続されている。
【００４８】
図７は、測定ユニット５１の構成を示すブロック図である。図７に示すように、測定ユニット５１は、検体である血液を検体容器（採血管）Ｔから吸引する検体吸引部５１１と、検体吸引部５１１により吸引した血液から測定に用いられる測定試料を調製する試料調製部５１２と、試料調製部５１２により調製された測定試料から血球を検出する検出部５１３（検体処理部）とを有している。これらの検体吸引部５１１、試料調製部５１２、及び検出部５１３は、筐体５１４の内部に配置されている。また、測定ユニット５１は、検体搬送ユニット３ａの測定ライン３５上を搬送された検体ラックＬに収容された検体容器Ｔを筐体５１４の内部に取り込むための取込口（図示せず）と、検体ラックＬから検体容器Ｔを筐体５１４の内部に取り込み、検体吸引部５１１による吸引位置５１１ａまで検体容器Ｔを搬送する検体容器搬送部５１５と、筐体５１４の内部に取り込まれた検体容器Ｔの検体バーコードから検体ＩＤを読み出すバーコード読取部５１６とをさらに有している。検体容器搬送部５１５は、検体容器Ｔを把持可能なハンド部５１５ａを備えている。ハンド部５１５ａは、互いに対向して配置された一対の把持部材を備えており、この把持部材を互いに近接及び離反させることにより検体容器Ｔを把持する。検体ラックＬに保持された状態の検体容器Ｔがハンド部５１５ａにより把持され、検体ラックＬから引き抜かれる。また、検体容器搬送部５１５は、検体容器Ｔを挿入可能な穴部を有する検体容器セット部５１５ｂを備えている。上述したハンド部５１５ａによって把持された検体容器Ｔは、検体容器セット部５１５ｂに挿入され、この検体容器セット部５１５ｂが筐体５１４の内部へ移動することで、検体容器Ｔが筐体５１４の内部に取り込まれる。検体容器セット部５１５ｂは、バーコード読取部５１６の近傍のバーコード読取位置５１６ａ及び検体吸引部５１１による吸引位置５１１ａへ移動可能である。検体容器セット部５１５ｂがバーコード読取位置５１６ａへ移動したときには、バーコード読取部５１６によりこの検体容器Ｔの検体バーコードから検体ＩＤが読み取られる。また、検体容器セット部５１５ｂが吸引位置へ移動したときには、検体吸引部５１１により、セットされた検体容器Ｔから検体が吸引される。
【００４９】
バーコード読取部５１６は、検体容器Ｔの検体バーコードを複数回連続して読み取る。複数回読み出された各検体ＩＤのデータが一致している場合には、検体ＩＤの読み取りが成功したとされる。所定の時間内に検体ＩＤを１度も読み出せなかった場合、所定の時間内に検体ＩＤを複数回読み出せたが、読み出した複数のデータが一致しなかった場合、又は所定の時間内に検体ＩＤを１回しか読み出せなかった場合には、検体ＩＤの読み取り不良とされる。
【００５０】
検出部５１３は、ＲＢＣ（赤血球）検出及びＰＬＴ（血小板）検出をシースフローＤＣ検出法により行うことが可能である。また、検出部５１３は、ＨＧＢ（ヘモグロビン）検出をＳＬＳ−ヘモグロビン法により行うことが可能であり、ＷＢＣ（白血球）の検出を、半導体レーザを使用したフローサイトメトリー法により行うことが可能であるように構成されている。ＲＢＣ、ＰＬＴ、ＨＧＢ、及びＷＢＣは、測定項目ＣＢＣ(complete blood count)が指定されたときに測定される。
【００５１】
なお、検出部５１３による検出結果を処理することにより、情報処理ユニット５４は、白血球の５分類（測定項目ＤＩＦＦ）が可能である。さらに詳しくは、情報処理ユニット５４は、検出部５１３による検出結果を処理することにより、ＷＢＣ（全白血球）、ＮＥＵＴ（好中球）、ＬＹＭＰＨ（リンパ球）、ＥＯ（好酸球）、ＢＡＳＯ（好塩基球）、及びＭＯＮＯ（単球）のそれぞれの数を取得することが可能であるように構成されている。
【００５２】
測定ユニット５１の検出部５１３は、ＣＢＣ及びＤＩＦＦに加え、網状赤血球（ＲＥＴ）の測定、光学的な血小板測定（ＰＬＴ−Ｏ）、及び光学的な幼若白血球測定（ＩＭＩ−Ｏ）が可能である。ＲＥＴの測定は、ＲＥＴ測定用の試薬と検体とを混合して測定試料を調製し、検出部５１３に前記測定試料を供給することで行われる。同様に、ＰＬＴ−Ｏの測定は、ＰＬＴ−Ｏ測定用の試薬と検体とを混合して測定試料を調製し、検出部５１３に前記測定試料を供給することで行われ、ＩＭＩ−Ｏの測定は、ＩＭＩ−Ｏ測定用の試薬と検体とを混合して測定試料を調製し、検出部５１３に前記測定試料を供給することで行われる。
【００５３】
測定ユニット５２及び５３は、測定ユニット５１と同様の構成であり、測定ユニット５１と同様に、ＣＢＣ及びＤＩＦＦの測定がそれぞれ可能である。
【００５４】
次に、情報処理ユニット５４の構成について説明する。情報処理ユニット５４は、コンピュータにより構成されている。図８は、情報処理ユニット５４の構成を示すブロック図である。情報処理ユニット５４は、コンピュータ５４ａによって実現される。図８に示すように、コンピュータ５４ａは、本体５４１と、画像表示部５４２と、入力部５４３とを備えている。本体５４１は、ＣＰＵ５４１ａ、ＲＯＭ５４１ｂ、ＲＡＭ５４１ｃ、ハードディスク５４１ｄ、読出装置５４１ｅ、入出力インタフェース５４１ｆ、通信インタフェース５４１ｇ、及び画像出力インタフェース５４１ｈを備えており、ＣＰＵ５４１ａ、ＲＯＭ５４１ｂ、ＲＡＭ５４１ｃ、ハードディスク５４１ｄ、読出装置５４１ｅ、入出力インタフェース５４１ｆ、通信インタフェース５４１ｇ、及び画像出力インタフェース５４１ｈは、バス５４１ｊによって接続されている。
【００５５】
読出装置５４１ｅは、コンピュータを情報処理ユニット５４として機能させるためのコンピュータプログラム５４４ａを可搬型記録媒体５４４から読み出し、当該コンピュータプログラム５４４ａをハードディスク５４１ｄにインストールすることが可能である。
【００５６】
＜塗抹標本作製装置６の構成＞
塗抹標本作製装置６は、血液検体を吸引し、スライドガラス上に滴下して、その血液検体をスライドガラス上で薄く引き延ばし、乾燥させた上で、当該スライドガラスに染色液を供給してスライドガラス上の血液を染色することにより、塗抹標本を作製する。
【００５７】
図９は、塗抹標本作製装置６の概略構成を示すブロック図である。図９に示すように、塗抹標本作製装置６は、検体分注部６１と、塗抹部６２と、スライドガラス搬送部６３と、染色部６４と、制御部６５とを備えている。
【００５８】
検体分注部６１は、吸引管（図示せず）を備えており、この吸引管を検体搬送ユニット４の処理ライン４５上を搬送された検体ラックＬの検体容器Ｔの蓋部ＣＰに突き刺して、この検体容器Ｔから血液検体を吸引する。また、検体分注部６１は、吸引した血液検体をスライドガラス上に滴下するように構成されている。塗抹部６２は、スライドガラス上に滴下された血液検体を塗抹して乾燥させ、さらに、スライドガラスに印字するように構成されている。
【００５９】
スライドガラス搬送部６３は、塗抹部６２によって血液検体が塗抹されたスライドガラスを図示しないカセットに収容させ、さらにそのカセットを搬送するために設けられている。染色部６４は、スライドガラス搬送部６３によって染色位置まで搬送されたカセット内のスライドガラスに対して、染色液を供給する。制御部６５は、検体搬送部３Ｂから与えられた標本作製指示にしたがって、検体分注部６１、塗抹部６２、スライドガラス搬送部６３、及び染色部６４を制御し、上記の塗抹標本作製動作を実行させる。
【００６０】
＜システム制御装置８の構成＞
システム制御装置８は、コンピュータにより構成されており、検体処理システム１の全体を制御する。このシステム制御装置８は、検体載置回収部３ＡからラックＩＤ及び検体ＩＤを受け付け、そのラックＩＤ及び検体ＩＤにより検査情報管理装置９へ測定オーダの問い合わせを行う。また、システム制御装置８は、検体ラックＬの搬送先を決定し、搬送先を示す搬送指示データを検体搬送部３Ｂへ送信する。
【００６１】
図１０は、本実施の形態に係るシステム制御装置８の構成を示すブロック図である。システム制御装置８は、コンピュータ８ａによって実現される。図１０に示すように、コンピュータ８ａは、本体８１と、画像表示部８２と、入力部８３とを備えている。本体８１は、ＣＰＵ８１ａ、ＲＯＭ８１ｂ、ＲＡＭ８１ｃ、ハードディスク８１ｄ、読出装置８１ｅ、入出力インタフェース８１ｆ、通信インタフェース８１ｇ、及び画像出力インタフェース８１ｈを備えており、ＣＰＵ８１ａ、ＲＯＭ８１ｂ、ＲＡＭ８１ｃ、ハードディスク８１ｄ、読出装置８１ｅ、入出力インタフェース８１ｆ、通信インタフェース８１ｇ、及び画像出力インタフェース８１ｈは、バス８１ｊによって接続されている。
【００６２】
読出装置８１ｅは、コンピュータをシステム制御装置８として機能させるためのシステム制御プログラム８４ａを可搬型記録媒体８４から読み出し、当該システム制御プログラム８４ａをハードディスク８１ｄにインストールすることが可能である。
【００６３】
＜検査情報管理装置９の構成＞
検査情報管理装置９は、施設内における検査に関する情報を管理する装置、所謂LIS(Laboratory Information System)であり、血球分析装置５だけでなく、他の臨床検体検査装置にも接続されている。かかる検査情報管理装置９は、操作者から入力されたり、電子カルテシステム等の他の装置から送信された測定オーダを受け付け、測定オーダを記憶、管理する。さらに、検査情報管理装置９は、システム制御装置８又は血球分析装置５からのオーダ要求を受け付け、要求された測定オーダをシステム制御装置８又は血球分析装置５へ送信する。また、検査情報管理装置９は、血球分析装置５から分析結果を受信し、この分析結果を記憶、管理する。
【００６４】
検査情報管理装置９は、コンピュータにより構成されており、ＣＰＵ、ＲＯＭ、ＲＡＭ、ハードディスク、通信インタフェース等を備えている。通信インタフェースは、上述したＬＡＮに接続されており、システム制御装置８、及び血球分析装置５の情報処理ユニット５４と通信することが可能である。また、ハードディスクには、測定オーダが格納されている。測定オーダには、検体ＩＤ及び実施対象の測定項目の情報が含まれている。検査情報管理装置９は、他の装置から検体ＩＤを含む測定オーダの要求データを受信したときには、この検体ＩＤに対応する測定データをハードディスクから読み出し、要求元の装置へ送信するように構成されている。その他、検査情報管理装置９の構成は、上述した他のコンピュータの構成と同様であるので、その説明を省略する。
【００６５】
［検体処理システムの動作］
次に、本実施の形態に係る検体処理システムの動作について説明する。
【００６６】
＜動作モード設定動作＞
検体処理システム１は、情報処理ユニット５４が動作モード設定処理を実行することにより、動作モードを設定する動作モード設定動作を行う。図１１は、情報処理ユニット５４による動作モード設定処理の手順を示すフローチャートである。この動作モードの設定は、例えば検体処理システム１が施設に設置されたときに初期設定として実行される。オペレータ又はサービスマンは、動作モードを設定する際に、情報処理ユニット５４の入力部５４３を操作して、動作モード設定画面の表示指示を情報処理ユニット５４に与える。情報処理ユニット５４のＣＰＵ５４１ａは、動作モード設定画面の表示指示を受け付けると（ステップＳ１０１）、動作モード設定画面を画像表示部５４２に表示する（ステップＳ１０２）。
【００６７】
図１２は、動作モード設定画面の一例を示す模式図である。動作モード設定画面Ｗ１は、バーコード読取異常が生じた場合における動作モードを設定するための画面であり、デフォルト測定モードとスキップモードを設定可能である。かかる動作モード設定画面Ｗ１には、デフォルト測定モードを選択するためのラジオボタンＲ１と、スキップモードを選択するためのラジオボタンＲ２とが設けられている。デフォルト測定モードは、バーコード読取異常が生じた検体に対して、予め設定された測定項目の測定を行う動作モードであり、スキップモードは、バーコード読取異常が生じた検体に対して、検体吸引部５１１による吸引を行わずに（つまり検体の測定を行わずに）、検体載置回収部３Ａに回収する動作モードである。ラジオボタンＲ１がマウス等による操作によって選択されると、デフォルト測定モードが設定され、ラジオボタンＲ２がマウス等による操作によって選択されると、スキップモードが設定される。なお、ラジオボタンＲ１及びＲ２を同時に選択することはできない。
【００６８】
また、動作モード設定画面Ｗ１には、デフォルト測定モードにおける測定項目を設定する項目設定ボタンＢ１〜Ｂ６が設けられている。項目設定ボタンＢ１は、デフォルト測定モードにおける測定項目にＣＢＣを設定するためのボタンであり、同様に、項目設定ボタンＢ２〜Ｂ５のそれぞれは、デフォルト測定モードにおける測定項目にＤＩＦＦ、ＲＥＴ、ＰＬＴ−Ｏ、ＩＭＩ−Ｏのそれぞれを設定するためのボタンである。オペレータは、マウス等の操作によって各ボタンＢ１〜Ｂ５を選択可能であり、所望の測定項目のボタンを選択することにより、選択した測定項目をデフォルト測定モードにおける測定項目に設定することができる。なお、ボタンＢ１〜Ｂ５は、同時に複数のボタンを選択することが可能である。つまり、オペレータは、複数の測定項目をデフォルト測定モードにおける測定項目に設定することができる。また、動作モード設定画面Ｗ１には、入力された内容の動作モードの設定を確定するためのＯＫボタンＢ６と、その画面において入力された内容を破棄し、それ以前の動作モードを維持するためのキャンセルボタンＢ７とが設けられている。
【００６９】
ＣＰＵ５４１ａは、上記のような動作モード設定画面において動作モードの設定指示を受け付け（ステップＳ１０３）、指示された動作モードがデフォルト測定モードかスキップモードかを判定する（ステップＳ１０４）。デフォルト測定モードの設定が指示された場合には（ステップＳ１０４において「デフォルト測定モード」）、ＣＰＵ５４１ａは、デフォルト測定モードを設定する（ステップＳ１０５）。このとき、動作モード設定画面Ｗ１において選択された測定項目をデフォルト測定モードにおける測定項目として設定する。一方、スキップモードの設定が指示された場合には（ステップＳ１０４において「スキップモード」）、ＣＰＵ８１ａは、スキップモードを設定する（ステップＳ１０６）。この動作モードの設定は、指示された動作モードを示す情報、及びデフォルト測定モードの場合にはその測定項目を設定値としてハードディスク５４１ｄに記憶することにより行われる。つまり、デフォルト測定モードの設定が指示された場合には、デフォルト測定モードを示す情報及び測定項目を示す情報が設定値としてハードディスク５４１ｄに記憶され、スキップモードの設定が指示された場合には、スキップモードを示す情報が設定値としてハードディスク５４１ｄに記憶される。このようにして動作モードの設定をした後、ＣＰＵ５４１ａは処理を終了する。
【００７０】
このように、ユーザにおける検体処理の運用に応じて、ユーザは検査処理システム１の動作モードをデフォルト測定モード又はスキップモードに設定することができる。処理対象の検体の測定項目の多くが共通している場合には、デフォルト測定モードの測定項目として、その共通する項目を設定し、デフォルト測定モードを動作モードに設定することで、検体ＩＤの読取不良が発生した多くの検体に対して適切な測定を行うことができる。また、測定すべき測定項目が異なる検体が混在している場合及びデフォルト測定モードの測定項目がユーザの要望する項目でない場合には、スキップモードを動作モードに設定することで、ユーザが要望しない測定項目について検体の測定が行われることによる検体の消費を抑制することができる。
【００７１】
＜検体処理動作＞
次に、検体処理システム１による検体処理動作について説明する。
【００７２】
複数の検体容器Ｔを保持した検体ラックＬが、オペレータにより検体載置ユニット２１に載置される。この検体ラックＬに保持されている検体のそれぞれについては、測定オーダが検査情報管理装置９によって記憶されている。測定オーダは、ハードディスク９１ｄに設けられた測定オーダデータベースに格納される。
【００７３】
検体ラックＬが検体載置ユニット２１に載置され、検体処理開始の指示がオペレータから与えられると、検体ラックＬが検体載置ユニット２１からラック中継ユニット２２へ搬出され、ラック中継ユニット２２のバーコード読取部２２ｂにより検体容器Ｔの検体バーコードからの検体ＩＤの読取動作が実行される。また、これと共に、バーコード読取部２２ｂによりラックバーコードからラックＩＤが読み出される。制御部２２ａは、このようにして読み出されたラックＩＤ及び検体ＩＤをシステム制御装置８へと送信する。この送信データの各検体ＩＤは、その検体容器Ｔが保持されている保持位置番号と対応付けられている。ここで、バーコード読取部２２ｂによる検体ＩＤの読取動作が実行された結果、検体ＩＤの読取不良が発生した場合には、検体番号に代えて読取エラー情報を含む送信データが生成され、システム制御装置８へと送信される。
【００７４】
読み出された検体ＩＤ及びラックＩＤは、システム制御装置８を通じて検査情報管理装置９へ送信され、該当する測定オーダが要求される。測定オーダは、血球分析装置５及び塗抹標本作製装置６において測定又は処理が行われる項目を含む情報であり、血球分析装置５及び塗抹標本作製装置６は、測定オーダに含まれる項目に応じた処理を検体に対して実行する。測定オーダは、検査情報管理装置９の測定オーダデータベースにおいて、検体ＩＤに対応付けられて格納されている。検査情報管理装置９は、測定オーダデータベースに当該検体ＩＤに対応する測定オーダが存在する場合には、この測定オーダを読み出し、システム制御装置８へと送信する。また、測定オーダデータベースに検体ＩＤに対応する測定オーダが存在しない場合には、その旨を示す情報である測定オーダ無し情報を当該検体ＩＤと共にシステム制御装置８へと送信する。システム制御装置８は、検査情報管理装置９から測定オーダが送信されてきた検体ＩＤについては、その検体を吸引して測定を行う必要があり、そのために再度測定オーダを問い合わせる必要があると判断する。一方、検査情報管理装置９から測定オーダ無し情報が送信されてきた検体ＩＤについては、その検体を吸引して測定する必要がなく、再度測定オーダを問い合わせる必要がないと判断する。さらに、システム制御装置８のＣＰＵ８１ａは、このような判断結果を用いて、ラックオーダを作成する。
【００７５】
図１３は、ラックオーダの構成を示す模式図である。図１３に示すように、ラックオーダはテーブル型のデータであり、検体ラックＬの保持位置番号を格納するフィールドＦ１１と、検体ＩＤを格納するフィールドＦ１２と、測定オーダの問い合わせの要否を示す情報を格納するフィールドＦ１３とを有している。それぞれのフィールドＦ１１〜Ｆ１３は対応しており、例えば、保持位置番号１の検体容器Ｔから読み出された検体ＩＤ「０００１」について検査情報管理装置９から測定オーダを受信した場合には、フィールドＦ１１の保持位置番号１に対応するフィールドＦ１２のセルに「０００１」が格納され、フィールドＦ１１の保持位置番号１に対応するフィールドＦ１３のセルに測定オーダの問い合わせが必要であることを示す情報「１」（以下、「問い合わせフラグ」という。）が格納される。一方、保持位置番号４の検体容器から読み出された検体ＩＤ「０００４」について検査情報管理装置９から測定オーダを受信しなかった場合には、フィールドＦ１１の保持位置番号４に対応するフィールドＦ１２のセルに「０００４」が格納され、フィールドＦ１１の保持位置番号４に対応するフィールドＦ１３のセルに問い合わせフラグとして測定オーダの問い合わせが不要であることを示す「０」が格納される。
【００７６】
また、システム制御装置８のＣＰＵ８１ａは、ラック中継ユニット２２から読取エラー情報が送信されてきた検体については、その検体容器Ｔの保持位置に対応するフィールドＦ１２のセルに読取エラー情報「ＥＲＲ０００００１」を格納し、対応するフィールドＦ１３のセルにオーダ問い合わせが不要であることを示す情報「０」を格納する。読取エラー情報「ＥＲＲ０００００１」は、バーコード読取部２２ｂにより検体ＩＤの読取不良が発生した検体であることを示すエラーコードである。
【００７７】
システム制御装置８は、その時点における測定ユニット５１〜５３の動作状態に基づいて、検体ラックＬの搬送先となる測定ユニットを決定し、上記のようにして作成したラックオーダと共に、決定した搬送先への搬送指示を検体搬送装置３へ与える。以下の説明では、搬送先として測定ユニット５１が決定された場合について説明する。
【００７８】
検体搬送ユニット３ａは、システム制御装置８から送信されたラックオーダを含む搬送指示データを受信する。ラック中継ユニット２２は、搬送指示に係る検体ラックＬを検体搬送ユニット３ａの追い越しライン３２１に搬出し、検体搬送ユニット３ａが当該検体ラックＬを搬送先である測定ユニット５１の前側に位置する測定ライン３５へと搬送する。なお、ラック中継ユニット２２は、バーコード読取部２２ｂによる検体ＩＤの読取不良が生じた検体を検体ラックＬが収容しているか否かに関わらず、当該検体ラックＬを検体搬送ユニット３ａに搬出する。検体搬送ユニット３ａは、前記ラックオーダを測定指示データとして情報処理ユニット５４へ送信する。以下、情報処理ユニット５４の動作について説明する。
【００７９】
図１４Ａ及び図１４Ｂは、本実施の形態に係る情報処理ユニット５４による検体測定動作の手順を示すフローチャートである。情報処理ユニット５４のＣＰＵ５４１ａは、ラックオーダの受信を待機し（ステップＳ２０１においてＮＯ）、検体搬送ユニット３ａから送信されたラックオーダを受信する（ステップＳ２０１においてＹＥＳ）。次にＣＰＵ５４１ａは、ラックオーダに含まれる検体ＩＤにより、検査情報管理装置９へ測定オーダの問い合わせを行う（ステップＳ２０２）。この処理では、ラックオーダにおいて問い合わせフラグに「１」がセットされている検体についてのみ、測定オーダの問い合わせが行われる。図１３に示す例においては、保持位置番号１、２、５、６、８、１０の検体ＩＤにより測定オーダの問い合わせが行われる。
【００８０】
測定オーダの問い合わせを行った後、ＣＰＵ５４１ａは測定オーダの受信を待機する（ステップＳ２０３においてＮＯ）。測定オーダを受信すると（ステップＳ２０３においてＹＥＳ）、ＣＰＵ５４１ａは、検体ラックＬから検体容器Ｔを筐体５１４の内部に取り込むよう測定ユニット５１を制御する（ステップＳ２０４）。続いて、ＣＰＵ５４１ａは、バーコード読取部５１６に、当該検体容器Ｔの検体バーコードからの検体ＩＤの読取動作を実行させる（ステップＳ２０５）。次にＣＰＵ５４１ａは、バーコード読取部５１６により読み出された検体ＩＤを、ラックオーダに含まれる、当該検体容器Ｔの保持位置に対応する検体ＩＤと照合する（ステップＳ２０６）。この照合により両検体ＩＤが一致する場合には、バーコード読取部２２ｂ，５１６の何れにおいても正しく検体ＩＤの読取が行われ、しかも、搬送途中で検体容器Ｔが取り換えられていないと考えることができる。したがって、この検体ＩＤは信頼性が高いといえる。ステップＳ２０６においてこれらの検体ＩＤが一致した場合には（ステップＳ２０６においてＹＥＳ）、検体吸引部５１１により検体を検体容器Ｔから吸引し、ステップＳ２０３において受信した当該検体ＩＤに対応する測定オーダにしたがって、試料調製部５１２により測定試料を調製し、測定オーダによって指示される測定項目について検出部５１３により検体の測定を行うよう測定ユニット５１を制御し、また測定結果に基づいて検体の分析を行う（ステップＳ２０７）。このとき検体の吸引が完了した検体容器Ｔは、検体容器搬送部５１５により測定ユニット５１の筐体５１４から排出され、検体ラックＬの元の保持位置に戻される。
【００８１】
上記のように、検体容器Ｔの取り込み及びバーコード読取部５１６による検体ＩＤの読み取りに先だって、ラックオーダに含まれる検体ＩＤに基づいて測定オーダを取得しておくことで、バーコード読取部５１６により読み取られた検体ＩＤによって測定オーダの問い合わせを行う場合に比べて検体容器Ｔの取り込みから検体の吸引迄の時間を短縮することができ、検体処理システム１の処理能力（処理速度）を向上させることができる。また、上記のように筐体５１４の内部に検体容器Ｔを取り込み、筐体５１４の内部に設けられたバーコード読取部５１６により検体ＩＤを読み取り、筐体５１４の内部において検体容器Ｔから検体の吸引を行う構成としたため、検体ＩＤの読み取りが行われてから検体の吸引が行われるまでの間に検体容器Ｔが取り換えられることを防止することができ、検体の取り違えによる誤測定を防止することができる。
【００８２】
検体の分析を終了したＣＰＵ５４１ａは、検体の分析結果を画像表示部５４２に表示し（ステップＳ２０８）、検体ラックＬに保持されている、問い合わせフラグが「１」にセットされている全ての検体について、検体の測定を行ったか否かを判定する（ステップＳ２０９）。問い合わせフラグが「１」にセットされているが、測定を行っていない検体が存在する場合には（ステップＳ２０９においてＮＯ）、ＣＰＵ５４１ａは、処理をステップＳ２０４へ移し、測定を行っていない検体を収容する検体容器Ｔを筐体５１４の内部に取り込む。
【００８３】
ステップＳ２０６において、バーコード読取部５１６により読み出された検体ＩＤと、ラックオーダに含まれる、当該検体容器Ｔの保持位置に対応する検体ＩＤとが一致しない場合には（ステップＳ２０６においてＮＯ）、ＣＰＵ５４１ａは、測定ユニット５１の筐体５１４の内部に配置されたバーコード読取部５１６において検体ＩＤの読取不良が発生したか否かを判定する（ステップＳ２１０）。読取不良が発生していない場合には（ステップＳ２１０においてＮＯ）、ＣＰＵ５４１ａは、バーコード読取部５１６により読み出された検体ＩＤにより検査情報管理装置９へ測定オーダを問い合わせる（ステップＳ２１１）。このように、バーコード読取部２２ｂにより読み取られた検体ＩＤとバーコード読み取り部５１６により読み取られた検体ＩＤとが一致しない場合には、検体容器Ｔが搬送途中に取り換えられている可能性がある。取り換えられる前の検体の検体ＩＤに対応する測定オーダと、取り換えられた後の検体の検体ＩＤに対応する測定オーダとは通常同一ではないため、両検体ＩＤが一致しない場合には、当該取り換えられた後の検体を正しく測定することができない。よって、本実施の形態に係る検体処理システム１では、バーコード読取部２２ｂにより読み取られた検体ＩＤとバーコード読み取り部５１６により読み取られた検体ＩＤとが一致しない場合には、バーコード読み取り部５１６により読み取られた検体ＩＤによって測定オーダを問い合わせ、測定される検体に対応する測定オーダを確実に取得するようにしている。
【００８４】
続いて、ＣＰＵ５４１ａは、測定オーダの受信を待機し（ステップＳ２１２においてＮＯ）、測定オーダを受信すると（ステップＳ２１２においてＹＥＳ）、検体吸引部５１１により検体を検体容器Ｔから吸引し、ステップＳ２１２において受信した当該検体ＩＤに対応する測定オーダにしたがって、試料調製部５１２により測定試料を調製し、測定オーダによって指示される測定項目について検出部５１３により検体の測定を行うよう測定ユニット５１を制御し、また測定結果に基づいて検体の分析を行う（ステップＳ２１３）。このとき検体の吸引が完了した検体容器Ｔは、検体容器搬送部５１５により測定ユニット５１の筐体５１４から排出され、検体ラックＬの元の保持位置に戻される。
【００８５】
検体の分析を終了したＣＰＵ５４１ａは、検体の分析結果を画像表示部５４２に表示し（ステップＳ２１４）、ステップＳ２０８へ処理を移して、検体ラックＬに保持されている、問い合わせフラグが「１」にセットされている全ての検体について、検体の測定を行ったか否かを判定する（ステップＳ２０９）。
【００８６】
ステップＳ２１０において、検体ＩＤの読取不良が発生している場合には（ステップＳ２１０においてＹＥＳ）、ＣＰＵ５４１ａは、その時点において設定されている動作モードがデフォルト測定モードかスキップモードかを判定する（ステップＳ２１５）。デフォルト測定モードが設定されている場合には（ステップＳ２１５において「デフォルト測定モード」）、検体吸引部５１１により検体を検体容器Ｔから吸引し、設定されているデフォルト測定モードの測定項目にしたがって、試料調製部５１２により測定試料を調製し、前記デフォルト測定モードの測定項目について検出部５１３により検体の測定を行うよう測定ユニット５１を制御し、また測定結果に基づいて検体の分析を行う（ステップＳ２１６）。このとき検体の吸引が完了した検体容器Ｔは、検体容器搬送部５１５により測定ユニット５１の筐体５１４から排出され、検体ラックＬの元の保持位置に戻される。
【００８７】
検体の分析を終了したＣＰＵ５４１ａは、検体の分析結果を画像表示部５４２に表示する（ステップＳ２１７）。図１５は、デフォルト測定モードにより検体を分析したときの分析結果画面の一例を示す模式図である。図１５には、デフォルト測定モードの測定項目として、ＣＢＣ、ＤＩＦＦ、及びＰＬＴ−Ｏが設定されている場合の画面例を示している。この分析結果画面Ｗ２では、左上の領域に「ＥＲＲＯＲ」の文字列Ｃ１が設けられている。この「ＥＲＲＯＲ」の文字列Ｃ１は、バーコード読取部５１６による検体ＩＤの読取不良が発生し、デフォルト測定モードにより検体の測定が行われたことを示す情報である。つまり、文字列Ｃ１は、デフォルト測定モードにおける測定項目（予め定められた測定項目）について検体の測定が実行されたことを示している。
【００８８】
また、分析結果画面Ｗ２の「ＥＲＲＯＲ」の文字列Ｃ１の下側には、検体ＩＤ及び測定日時を表示する領域Ａ２が設けられている。この領域においては、検体ＩＤとして、バーコード読取部５１６により検体ＩＤの読取不良が発生した検体であることを示すエラーコードである読取エラー情報「ＥＲＲ０００００２」が表示される。分析結果画面Ｗ２の上部中央には、患者（被験者）の氏名、患者ＩＤ、患者の性別を表示する領域Ａ２が設けられ、さらにその右側には、メッセージを表示する領域Ａ３が設けられている。領域Ａ３には、メッセージとして、「測定ユニットでバーコード読取異常が発生したため、デフォルトの測定項目について測定しました。」の文字列が表示される。
【００８９】
分析結果画面Ｗ２の中央部より下側部分は、分析結果を表示するための領域Ａ４が設けられている。図１５の例では、領域Ａ４にＣＢＣの分析結果である各項目の数値データＴ１と、ＤＩＦＦの分析結果であるスキャッタグラムＳ１と、ＰＬＴ−Ｏの分析結果であるスキャッタグラムＳ２とが表示されている。
【００９０】
上記のように、文字列Ａ１を含む分析結果画面Ｗ２を表示することにより、オペレータはこの分析結果がデフォルト測定モードにより測定された結果であることを容易に確認することができる。
【００９１】
上記の分析結果画面Ｗ２を表示した後、ＣＰＵ５４１ａはステップＳ２０８へ処理を移して、検体ラックＬに保持されている、問い合わせフラグが「１」にセットされている全ての検体について、検体の測定を行ったか否かを判定する（ステップＳ２０９）。
【００９２】
一方、ステップＳ２１５において、その時点において設定されている動作モードがスキップモードである場合には（ステップＳ２１５において「スキップモード」）、ＣＰＵ５４１ａは、検体吸引部５１１により当該検体を検体容器Ｔから吸引することなく、検体容器Ｔを検体容器搬送部５１５により測定ユニット５１の筐体５１４から排出し、検体ラックＬの元の保持位置に戻す（ステップＳ２１８）。その後、ＣＰＵ５４１ａはステップＳ２０９へ処理を移して、検体ラックＬに保持されている、問い合わせフラグが「１」にセットされている全ての検体について、検体の測定を行ったか否かを判定する（ステップＳ２０９）。ステップＳ２０９において、検体ラックＬに保持されている、問い合わせフラグが「１」にセットされている全ての検体について、検体の測定を行った場合には（ステップＳ２０９においてＹＥＳ）、ＣＰＵ５４１ａは処理を終了する。
【００９３】
上記のような構成とすることにより、検体搬送部３Ｂにより搬送されるべき検体ラックＬに保持された検体容器Ｔについて、バーコード読取部２２ｂによる検体ＩＤの読取不良が発生した場合であっても、当該検体ラックＬは検体搬送部３Ｂにより搬送され、測定ユニット５１〜５３の筐体５１４の内部に配置されたバーコード読取部５１６による検体ＩＤの読取動作が実行され、その結果に応じた処理が行われることとなる。バーコード読取部２２による検体ＩＤの読取不良の原因が、バーコード読取部２２ｂの水平回転機構による検体容器の回転動作不良、検体バーコードへの照射光の光量不足、検体バーコードからの反射光の取り込み不良等であり、検体容器に検体バーコードが適切に貼付されているときには、バーコード読取部５１６による当該検体ＩＤの読み取りが成功する可能性がある。そのため、一度バーコード読取部２２ｂにより検体ＩＤの読取不良が発生した場合であっても、当該検体をオペレータが検体載置ユニット２１に再度載置することなく、検体ＩＤの読み取りを成功させる可能性を高くすることができる。バーコード読取部５１６により検体ＩＤが読み取られたときには、その検体ＩＤによって測定オーダの問い合わせが行われ、これによって得られた測定オーダにしたがって検体の測定が行われる。一方、バーコード読取部５１６による検体ＩＤの読取不良が発生したときには、デフォルト測定モードが設定されていれば、設定された測定項目について当該検体の測定が行われる。このように、一度バーコード読取部２２ｂにより検体ＩＤの読取不良が発生した検体に対しても、適切な処理を行うことが可能となり、このように適切な処理が行われた検体についてはオペレータが検体載置ユニット２１に再度載置する必要がない。つまり、オペレータ（ユーザ）が再載置する検体の数を抑制することができ、その結果オペレータの負担が軽減される。
【００９４】
（その他の実施の形態）
なお、上述した実施の形態においては、検体の処理として、測定ユニット５１〜５３による検体の測定を行う場合について述べたが、これに限定されるものではない。検体の処理として、塗抹標本作成装置６による検体の塗抹標本の作製を行う場合でも、同様の動作が行われる。また、他の検体の処理であってもよく、例えば、血液凝固測定装置による血液凝固測定、免疫分析装置による免疫分析、生化学分析装置による生化学分析、尿分析装置による尿分析等であってもよい。
【００９５】
また、バーコード読取部５１６が筐体５１４の内部に配置されている構成について述べたが、これに限定されるものではない。バーコード読取部５１６が筐体５１４の外部に配置され、測定ライン３５上の検体ラックＬに保持された検体容器Ｔの検体バーコードから検体ＩＤを読み取る構成としてもよい。
【００９６】
また、測定ユニット５１，５２，５３が、測定ライン３５上の検体ラックＬに保持されたままの検体容器Ｔから直接検体を吸引する構成としてもよい。
【００９７】
また、上述した実施の形態においては、検体ＩＤが検体バーコードとしてバーコードラベルＢＬに印刷（記録）され、その検体ＩＤをバーコード読取部２２ｂ，５１６により読み取る構成について述べたが、これに限定されるものではない。検体ＩＤを記録したＲＦＩＤタグを検体容器に付し、受信機がそのＲＦＩＤタグから無線通信により検体ＩＤを受信する構成としてもよい。また、検体ＩＤを磁気コードとして記録した磁気ラベルを検体容器に付し、その検体ＩＤを磁気コード読取装置により読み取る構成としてもよいし、検体ＩＤを示す文字列を印刷したラベルを検体容器に付し、その文字列をカメラで撮像して画像処理により検体ＩＤを取得する構成としてもよい。検体ＩＤを記録した記録媒体を検体容器に付し、又は検体容器に直接検体ＩＤを記録し、その検体ＩＤを読出装置により読み出す構成であれば、どのような構成であってもよい。
【００９８】
また、上述した実施の形態においては、検体搬送部３Ｂがそれぞれ独立した検体搬送ユニット３ａ，３ｂ，３ｃ，４によって構成されているものについて説明したが、これに限定されるものではない。一体不可分な構成の検体搬送部が測定ユニット５１，５２，５３及び塗抹標本作製装置６の前側に配置され、これによって各測定ユニット５１，５２，５３及び塗抹標本作製装置６へ検体ラックＬが搬送される構成としてもよい。
【００９９】
また、上述した実施の形態においては、検体処理システム１が複数の測定ユニット５１〜５３及び塗抹標本作成装置６を有する構成について述べたが、これに限定されるものではない。検体処理システム１が１つの検体処理装置、例えば１つの測定ユニットを備える構成であってもよい。
【０１００】
また、上述した実施の形態においては、測定ユニット５１，５２，５３の全てが同一の測定項目（ＣＢＣ，ＤＩＦＦ，ＲＥＴ）について検体を測定可能な構成について述べたが、これに限定されるものではない。例えば、測定ユニット５１，５２においてＣＢＣ及びＤＩＦＦについて検体の測定が可能であるがＲＥＴについて検体の測定はできず、測定ユニット５３においてＣＢＣ，ＤＩＦＦ及びＲＥＴについて検体の測定が可能な構成としてもよい。
【０１０１】
また、上述した実施の形態においては、血球分析装置５が３つの測定ユニット５１，５２，５３及び情報処理ユニット５４を備えた構成について述べたが、これに限定されるものではない。測定ユニットは１つでも複数でもよく、測定ユニットと情報処理ユニットとが一体的に構成されていてもよい。また、情報処理ユニット５４によって測定ユニット５１，５２，５３の機構の制御を行うのではなく、それぞれの測定ユニットがＣＰＵ及びメモリ等からなる制御部を備え、これらの制御部によって各測定ユニットの制御が行われ、それぞれの測定ユニットによって得られた測定データを情報処理ユニットが処理して検体の分析結果を生成する構成であってもよい。
【０１０２】
また、上述した実施の形態においては、単一のコンピュータ５４ａによりコンピュータプログラム５４ａの全ての処理を実行する構成について述べたが、これに限定されるものではなく、上述したコンピュータプログラム５４ａと同様の処理を、複数の装置（コンピュータ）により分散して実行する分散システムとすることも可能である。
【０１０３】
また、上述した実施の形態においては、バーコード読取異常が生じた場合における動作モードの設定が、動作モード設定画面Ｗ１を介して、オペレータにより初期設定として実行されているが、本発明はこれに限定されない。例えば、検体搬送部３Ｂによって搬送される検体ラックＬに収容された検体容器内の検体量を情報処理ユニット５４が監視し、検体量が所定量以上である検体の処理を行う場合には、情報処理ユニット５４がデフォルト測定モードに自動的に設定し、検体量が所定量未満である検体の処理を行う場合には、情報処理ユニット５４がスキップモードに自動的に設定してもよい。
【０１０４】
また、上述した実施の形態においては、情報処理ユニット５４のＣＰＵ５４１ａは、図１４Ａ及び図１４Ｂに示す手順で検体測定動作を実行しているが、本発明はこれに限定されるものではない。図１６は、情報処理ユニット５４のＣＰＵ５４１ａにより実行される検体測定動作の手順の変形例を示すフローチャートである。この変形例による検体測定動作では、図１４ＡのステップＳ２０１〜Ｓ２０５の処理を実行した後、ＣＰＵ５４１ａが、測定ユニット５１の筺体５１４の内部に配置されたバーコード読取部５１６において検体ＩＤの読取不良が発生したか否かを判定する（ステップＳ３０６）。読取不良が発生していない場合には（ステップＳ３０６においてＮＯ）、ＣＰＵ５４１ａは、バーコード読取部５１６により読み出された検体ＩＤを、ラックオーダに含まれる、当該検体容器Ｔの保持位置に対応する検体ＩＤと照合する（ステップＳ３０７）。この照合により両検体ＩＤが一致する場合には（ステップＳ３０７でＹＥＳ）、ＣＰＵ５４１ａは、図１４ＡのステップＳ２０７〜Ｓ２０９の処理を実行する。両検体ＩＤが一致しない場合には（ステップＳ３０７でＮＯ）、ＣＰＵ５４１ａは、図１４ＢのステップＳ２１１〜Ｓ２１４の処理を実行する。ステップＳ３０６において、バーコード読取部５１６において読取不良が発生していると判定された場合には（ステップＳ３０６でＹＥＳ）、ＣＰＵ５４１ａは、図１４ＢのステップＳ２１５〜Ｓ２１８の処理を実行する。この変形例による検体測定動作によっても、バーコード読取部２２ｂにより検体ＩＤの読取不良が発生した検体に対しても、適切な処理を行うことが可能となる。
【産業上の利用可能性】
【０１０５】
本発明の検体処理システムは、検体の測定、塗抹標本の作製等の処理を行う検体処理システムとして有用である。
【符号の説明】
【０１０６】
１  検体処理システム
３  検体搬送装置
３Ａ  検体載置回収部
２１  検体載置ユニット
２２  ラック中継ユニット
２３  検体回収ユニット
２２ａ  制御部
２１７，２２３，２３７  回収ライン
２２ｂ  バーコード読取部
３ａ，３ｂ，３ｃ，４  検体搬送ユニット
３ａＳ，３ｂＳ，３ｃＳ，４Ｓ  供給ライン
３ａＦ，３ｂＦ，３ｃＦ，４Ｆ  搬送ライン
３ａＲ，３ｂＲ，３ｃＲ，４Ｒ  帰還ライン
３ａＭ，３ｂＭ，３ｃＭ，４Ｍ  測定ライン
３Ｂ  検体搬送部
３ａ〜３ｃ  検体搬送ユニット
３１  搬送機構
３２  制御部
３３  分析前ラック保持部
３４  分析後ラック保持部
３５ｃ  検体供給位置
５  血球分析装置
５１，５２，５３  測定ユニット
５１１  検体吸引部
５１２  試料調製部
５１３  検出部
５１４  筐体
５１５  検体容器搬送部
５１６  バーコード読取部
５４  情報処理ユニット
５４１ａ  ＣＰＵ
５４１ｃ  ＲＡＭ
５４１ｄ  ハードディスク
５４４ａ  コンピュータプログラム
５４４  記録媒体
６  塗抹標本作製装置
８  システム制御装置
９  検査情報管理装置
Ｌ  検体ラック
Ｔ  検体容器
【図１】
0005484107.tif 000002
【図２】
0005484107.tif 000003
【図３】
0005484107.tif 000004
【図４】
0005484107.tif 000005
【図５】
0005484107.tif 000006
【図６】
0005484107.tif 000007
【図７】
0005484107.tif 000008
【図８】
0005484107.tif 000009
【図９】
0005484107.tif 000010
【図１０】
0005484107.tif 000011
【図１１】
0005484107.tif 000012
【図１２】
0005484107.tif 000013
【図１３】
0005484107.tif 000014
【図１４Ａ】
0005484107.tif 000015
【図１４Ｂ】
0005484107.tif 000016
【図１５】
0005484107.tif 000017
【図１６】
0005484107.tif 000018